(57)【特許請求の範囲】
【請求項１】
少なくとも前後一対の針床を有する横編機を用いて行われるニットウエアのＶネック分岐部の編成方法において、
分岐部中心を挟んで隣接する少なくとも２つの編目からなる中央編目を分岐部の中心を越えて左右入れ替えるステップＡ（Ｓ６〜Ｓ８）と、
前記中央編目に対して、対向する他方の針床で増し目の形成、続いてウエール方向に連続する新たな編目を一方の針床で形成することを、一つづつ個別に形成するステップＢ（Ｓ１０〜Ｓ１７）と、
前記中央編目と形成された増し目を係止する編針に給糸して袋編みを編成するステップＣ（Ｓ２２〜Ｓ２４）と、
中央編目と該中央編目に対峙する増し目を重ねて重ね目を形成するステップＤ（Ｓ２５）と、このように形成された分岐部に続けて右前上部、左前上部の続くコースの編成を行うことを特徴とするニットウエアのＶネック分岐部の編成方法。
【請求項２】
前記ステップＡでは中央編目は、分岐部の中心を挟んで左右それぞれ２目で構成されることを特徴とする請求項１に記載のニットウエアのＶネック分岐部の編成方法。
【請求項３】
中央編目は、分岐部の中心を挟んで左右それぞれ２目で構成される場合には、増し目の形成、続いてウエール方向に連続する新たな編目の形成を、分岐部の中心側の一方側の編目に対して行い、次に同じ側で中心から離れた編目に対して行い、次に他方側の分岐部の中心側の編目に対して行い、次に他方側で中心から離れた編目に対して行うことを特徴とする請求項１または２に記載のニットウエアのＶネック分岐部の編成方法。
【発明の詳細な説明】
【技術分野】
【０００１】
本発明は、横編機を用いて編まれるＶネックを有するニットウエアのＶネック分岐部の強度を上げることと美観を改善させる編成方法に関する。
【背景技術】
【０００２】
Ｖネックのベストやセーターなどのニットウエアを編成する場合、編地の分岐部となるＶネック尖端部で編地を左右に分岐させて編成する。しかし、このようにして編成されたニットウエアを着用の際に分岐部が引っ張られるため、ここを補強して編糸が破断しないようにしなければならない。本出願人はこのような目的のために特許文献１を提案している。
【先行技術文献】
【特許文献】
【０００３】
【特許文献１】特許第３９６７９２２号公報
【発明の概要】
【発明が解決しようとする課題】
【０００４】
上記特許文献１による方法によれば分岐部の強度は増して編糸が容易に破断することを防げることができる。本発明は、特許文献１とは異なる解決手段によって分岐部の補強を施すとともに分岐部の美観を改善させる編成方法を提供することを目的とする。
【課題を解決するための手段】
【０００５】
本発明は、少なくとも前後一対の針床を有する横編機を用いて行われるニットウエアのＶネック分岐部の編成方法において、
分岐部中心を挟んで隣接する少なくとも２つの編目からなる中央編目を分岐部の中心を越えて左右入れ替えるステップＡ（Ｓ６〜Ｓ８）と、
前記中央編目に対して、対向する他方の針床で増し目の形成、続いてウエール方向に連続する新たな編目を一方の針床で形成することを、一つづつ個別に形成するステップＢ（Ｓ１０〜Ｓ１７）と、
前記中央編目と形成された増し目を係止する編針に給糸して袋編みを編成するステップＣ（Ｓ２２〜Ｓ２４）と、
中央編目と該中央編目に対峙する増し目を重ねて重ね目を形成するステップＤ（Ｓ２５）と、このように形成された分岐部に続けて右前上部、左前上部の続くコースの編成を行うことを特徴とする。
【０００６】
好ましくは前記ステップＡでは中央編目は分岐部の中心を挟んで左右それぞれ２目で構成されることを特徴とする。
【０００８】
より好ましくは、中央編目は、分岐部の中心を挟んで左右それぞれ２目で構成される場合には、増し目の形成、続いてウエール方向に連続する新たな編目の形成を、分岐部の中心側の一方側の編目に対して行い、次に同じ側で中心から離れた編目に対して行い、次に他方側の分岐部の中心側の編目に対して行い、次に他方側で中心から離れた編目に対して行うことを特徴とする。
【発明の効果】
【０００９】
本発明によれば、中央編目を分岐部の中心を越えて左右入替え、増し目、および袋編みの各ステップを行うことで分岐部の強度をアップさせるとともに分岐部が前後に割れるのは防ぎ美観を改善することができる。
【００１０】
また本発明によれば、分岐部の中心を挟んで左右それぞれ２目で構成されるので編目の入替も容易で、且つ十分な強度を得ることができる。
【００１１】
さらに本発明によれば、中央編目の各編目と増し目が前後に個別に繋がること分岐部に適度な厚みと強度を得ることができる。
【図面の簡単な説明】
【００１２】
【図１】第１実施形態に示すベストの前身頃の概略図である。
【図２】第１実施形態に示すＶネック尖端部の編成方法についての編成ステップ図である。
【図３】図２に続く編成ステップ図である。
【図４】図４に続く編成ステップ図である。
【図５】図５に続く編成ステップ図である。
【発明を実施するための形態】
【００１３】
本発明の実施の形態を図面と共に説明を行う。前後一対の針床を備え、後針床が前針床に対してラッキング可能で、複数の給糸口を備えた汎用の２枚ベッド横編機を使用して、Ｖネックベストの前身頃を編成する例とする。勿論４枚ベッド横編機を使用してベストを筒状に編成して後工程での縫製を省略することも可能である。図１は、Ｖネックのベストの前身頃１を示す図で、図２〜図５は、図１の前身頃におけるＶネック分岐部の編成ステップ図である。本実施の形態では説明の便宜上、編成される編地はすべて平編みとし、編成図では針数を実際の編成よりも少なくしている。ベストの前身頃１は、図１に示すように裾から分岐部３までの前身下部２と、分岐部３から左右に分岐して肩に向かって編成される右前上部４と、左前上部６とからなる。前身下部２および左前上部５の編成には給糸口６を使用し、右前上部４には給糸口７を使用する。一点鎖線Ｘ−Ｘは分岐部２における中心を示す。
【００１４】
編成ステップ図２〜図５における、左側の数字は編成ステップ（Ｓ）を示し、左右方向の矢印は編成方向を、上下方向の矢印は目移し方向を示す。ＦＢは前針床を、ＢＢは後針床を示す。大文字のＡ〜ＯはＦＢの編針を、小文字のａ〜ｏはＢＢの編針を示す。また、太線の丸印はその編成ステップで形成される編目を、細線の丸印はその編成ステップの編成に関係せず編針に係止されたままの編目を、２重の丸印は重ね目、Ｖ印は掛け目またはタックを示す。
【００１５】
図２のＳ１は、前身頃１の前身下部２の編成を示し、給糸口６が不図示のキャリッジにより右側に移動され、ＦＢの編針Ａ〜Ｏで編目を形成する。Ｓ２以降から分岐部３の編成が始まる。Ｓ２とＳ３では、ＦＢの編針Ｉ〜Ｏを使用して左前上部５を１往復コース編成する。その際、Ｓ３では、編針Ｉによる編目形成は行わない。続くＳ４とＳ５では、ＦＢの編針Ａ〜Ｈを使用して右前上部４を１往復コース編成する。その際、Ｓ５では、編針Ｈによる編目形成は行わない。
【００１６】
Ｓ６〜Ｓ８では分岐部３を挟んで隣接する右前上部４の編針Ｇ，Ｈと左前上部５の編針Ｉ，Ｊに係止される編目を交差させて入れ替える。本実施の形態では、これら編針Ｇ，Ｈ，Ｉ，Ｊに係止される編目を中央編目と定義する。続くＳ９〜Ｓ２４は、上記交差に続けて行われる分岐部を補強するための編成を示す。ここでは、給糸口６を使用して右前上部５のコース編成を行う間に同時に行う。まずＳ９で、給糸口６を左方向に移動させて編針Ｏ〜Ｋで編目を形成するが、分岐部側の編針Ｉ，Ｊでは編目を形成しない。Ｓ１０で増し目を形成するためにＢＢの編針ｉに掛け目を形成し、Ｓ１１ではＦＢの編針Ｉで編目を形成する。続くＳ１２でＢＢの編針ｊにも増し目を形成するために掛け目を形成し、Ｓ１３ではＦＢの編針Ｊで編目を形成する。Ｓ１４でＢＢの編針ｈに増し目として掛け目を形成し、Ｓ１５ではＦＢの編針Ｈで編目を形成する。そしてＳ１６でＢＢの編針ｉに掛け目に続く編目を形成し、Ｓ１７ではＦＢの編針Ｉで編目を形成する。続いてＳ１８で増し目を形成するためにＢＢの編針ｇに掛け目を形成し、Ｓ１９ではＦＢの編針Ｇで編目を形成する。Ｓ２０でＢＢの編針ｈに掛け目に続く編目を形成し、Ｓ２１ではＦＢの編針Ｈで編目を形成する。このようにして分岐部中央に位置する中央編目４つに対して、Ｓ１０，Ｓ１２，Ｓ１４，１８の順で増し目とウエール方向に連続する新たな編目の形成を行う。これにより中央編目の各編目とこれに対して対となる増し目が前後に個別に繋がる。
【００１７】
Ｓ２２〜Ｓ２４では、分岐部中央の袋編みとそれに続く左前上部のコース編成を示す。中央部の袋編みの前側のコース編成をＳ２３で行い、袋編みの後側のコース編成を、Ｓ２２とＳ２４で半分づつ行う。Ｓ２２ではＢＢの編針ｇ，ｉで編目を形成し、ＦＢの編針Ｋでタックする。Ｓ２３では、ＦＢの編針Ｊ〜Ｇで編目を形成し、編針Ｆでタックする。Ｓ２４ではＢＢの編針ｈ，ｊで編目を形成するとともにＦＢの編針Ｋ〜Ｏで編目を形成する。なおＳ２２〜Ｓ２４では袋編みの後側のコース編成を２つに分けて行ったが、前側のコース編成のように分けずに行うなど適宜変更して行ってもよい。Ｓ２５では中央部のＢＢの編針ｇ〜ｊで係止される編目をＦＢの編針Ｇ〜Ｊに移して重ね目を形成する。上記編成によって中央部の補強と左前上部５の１往復のコース編成が行われたことになる。続くＳ２６では給糸口７を使って右前上部４のコースの編成を行う。その後図示しないが、分岐部３以降の右前上部４と左前上部５の各コース編成を行えばよい。
なお上記実施例では、分岐部の中心を挟んで左右に２つづつの中央編目を例にしたが、左右各１つ、左右２つと１つ、左右２つと３つなどでも構わない。
【符号の説明】
【００１８】
１  前身頃  
２  前身下部
３  分岐部
４  右前上部
５  左前上部
６，７     
給糸口
【図１】
0005875284.tif 000002
【図２】
0005875284.tif 000003
【図３】
0005875284.tif 000004
【図４】
0005875284.tif 000005
【図５】
0005875284.tif 000006